(57)【要約】【課題】必要とされる強度等の性能を維持しながら、資材コストを抑えて製造コストを低廉にできる、粗目スクリーンと細目スクリーンとを備えたバースクリーン式除塵機を提供すること。【解決手段】間隔をあけて配設した粗目スクリーン１と、粗目スクリーン１の間に配設した細目スクリーン２とからなり、粗目スクリーン１の前端面が細目スクリーン２の前端面より前方位置に突出するように配設してなるバースクリーン式除塵機において、粗目スクリーン１の後端面と細目スクリーン２の前端面とが、略同一面内に位置するようにする。【選択図】図１
2010203093.tif 000002
【特許請求の範囲】
【請求項１】
間隔をあけて配設した粗目スクリーンと、該粗目スクリーンの間に配設した細目スクリーンとからなり、粗目スクリーンの前端面が細目スクリーンの前端面より前方位置に突出するように配設してなるバースクリーン式除塵機において、前記粗目スクリーンの後端面と細目スクリーンの前端面とが、略同一面内に位置するようにしたことを特徴とするバースクリーン式除塵機。
【請求項２】
粗目スクリーンの後端面から取付座を突出して設け、該取付座に細目スクリーンの通しボルトを挿通することによって、粗目スクリーン及び細目スクリーンを一体的に固定するようにしたことを特徴とする請求項１記載のバースクリーン式除塵機。
【請求項３】
細目スクリーンを構成する板部材の厚みを、前端面側が厚く、後端面側が薄くなるように形成したことを特徴とする請求項１又は２記載のバースクリーン式除塵機。
【請求項４】
細目スクリーンを構成する板部材の厚みを、粗目スクリーンを構成する板部材の厚みより薄く形成したことを特徴とする請求項１、２又は３記載のバースクリーン式除塵機。
【請求項５】
細目スクリーンを構成する板部材の幅を、粗目スクリーンを構成する板部材の幅より小さく形成したことを特徴とする請求項１、２、３又は４記載のバースクリーン式除塵機。
【発明の詳細な説明】
【技術分野】
【０００１】
本発明は、バースクリーン式除塵機に関し、特に、特に、必要とされる強度等の性能を維持しながら、製造コストを低廉にできる、粗目スクリーンと細目スクリーンとを備えたバースクリーン式除塵機に関するものである。
【背景技術】
【０００２】
従来、下水処理場や下水ポンプ場では、沈砂池の上流側に粗目のバースクリーン式除塵機、後段に細目のバースクリーン式除塵機を設置し、それぞれのバースクリーン式除塵機スクリーンが捕捉するごみは、大きさや性状が異なるため、それぞれ別の系統で処理していた。
【０００３】
これに対して、粗目スクリーンと細目スクリーンとを備えたバースクリーン式除塵機が、本件出願人により提案され、実用化されている（例えば、特許文献１参照）。
【０００４】
このバースクリーン式除塵機は、図５に示すように、間隔をあけて配設した粗目スクリーン１と、粗目スクリーン１の間に配設した細目スクリーン２とからなり、粗目スクリーン１の前端面が細目スクリーン２の前端面より前方位置（水流の上流側）に突出するように配設することにより、まず、粗目スクリーン１で粗ごみＳ１を捕捉し、その後、細目スクリーン２で細塵Ｓ２を捕捉するように構成されていた。
【先行技術文献】
【特許文献】
【０００５】
【特許文献１】特許第３７６８５１８号公報
【発明の概要】
【発明が解決しようとする課題】
【０００６】
ところで、上記従来のバースクリーン式除塵機は、１台のバースクリーン式除塵機で、粗ごみＳ１及び細塵Ｓ２を捕捉できるという利点を有する反面、粗目スクリーン１の前端面が細目スクリーン２の前端面より前方位置（水流の上流側）に突出するように配設する構造上の理由から、資材コストが高くつき、これがバースクリーン式除塵機の製造コストの上昇に繋がるという問題があった。
【０００７】
また、従来のバースクリーン式除塵機は、細塵Ｓ２を確実に捕捉するために細目スクリーン２の目幅を小さくすればするほど、細目スクリーン２が目詰まりを起こしやすくなるという問題があった。
【０００８】
本発明は、上記従来のバースクリーン式除塵機の有する問題点に鑑み、必要とされる強度等の性能を維持しながら、資材コストを抑えて製造コストを低廉にできる、粗目スクリーンと細目スクリーンとを備えたバースクリーン式除塵機を提供することを第１の目的とする。
【０００９】
また、本発明は、細目スクリーンが目詰まりを起こすことを未然に防止できるようにしたバースクリーン式除塵機を提供することを第２の目的とする。
【課題を解決するための手段】
【００１０】
上記第１目的を達成するため、本発明のバースクリーン式除塵機は、間隔をあけて配設した粗目スクリーンと、該粗目スクリーンの間に配設した細目スクリーンとからなり、粗目スクリーンの前端面が細目スクリーンの前端面より前方位置に突出するように配設してなるバースクリーン式除塵機において、前記粗目スクリーンの後端面と細目スクリーンの前端面とが、略同一面内に位置するようにしたことを特徴とする。
ここで、「略同一面内」とは、粗目スクリーンの後端面と細目スクリーンの前端面とが、同一面内に位置する場合に加え、側面視して両者が数ｍｍ程度（より具体的には、５ｍｍ程度）以内で重なり合う（オーバーラップする）場合や、側面視して両者の間隔（重なり合わない距離）が数ｍｍ程度（より具体的には、５ｍｍ程度）以内の場合を含むものとする。
【００１１】
この場合において、粗目スクリーンの後端面から取付座を突出して設け、該取付座に細目スクリーンの通しボルトを挿通することによって、粗目スクリーン及び細目スクリーンを一体的に固定するようにすることができる。
【００１２】
また、上記第２目的を達成するため、細目スクリーンを構成する板部材の厚みを、前端面側が厚く、後端面側が薄くなるように形成することができる。
【００１３】
また、細目スクリーンを構成する板部材の厚みを、粗目スクリーンを構成する板部材の厚みより薄く形成することができる。
【００１４】
また、細目スクリーンを構成する板部材の幅を、粗目スクリーンを構成する板部材の幅より小さく形成することができる。
【発明の効果】
【００１５】
本発明のバースクリーン式除塵機によれば、間隔をあけて配設した粗目スクリーンと、該粗目スクリーンの間に配設した細目スクリーンとからなり、粗目スクリーンの前端面が細目スクリーンの前端面より前方位置に突出するように配設してなるバースクリーン式除塵機において、前記粗目スクリーンの後端面と細目スクリーンの前端面とが、略同一面内に位置するようにすることにより、まず、粗目スクリーンで粗ごみを捕捉し、その後、細目スクリーンで細塵を捕捉するというバースクリーン式除塵機の本来の目的を達成しながら、粗目スクリーンの厚さ（奥行き寸法）（すなわち、粗目スクリーンを構成する板部材の幅）を実質的に小さくすることができ、これにより、資材コストを抑えて製造コストを低廉にすることができる。
【００１６】
また、粗目スクリーンの後端面から取付座を突出して設け、該取付座に細目スクリーンの通しボルトを挿通することによって、粗目スクリーン及び細目スクリーンを一体的に固定するようにすることにより、粗目スクリーンの厚さ（奥行き寸法）（すなわち、粗目スクリーンを構成する板部材の幅）を実質的に小さくするようにしながら、スクリーンの組立構造を簡易にすることができる。
【００１７】
また、細目スクリーンを構成する板部材の厚みを、前端面側が厚く、後端面側が薄くなるように形成することにより、細目スクリーンの対向する面間に細塵が挟まることがなく、細目スクリーンが目詰まりを起こすことを未然に防止できる。
【００１８】
また、大きな負荷がかかりにくい細目スクリーンを構成する板部材の厚みを、大きな負荷がかかりやすい粗目スクリーンを構成する板部材の厚みより薄く形成することにより、資材コストを抑えて製造コストを低廉にすることができる。
【００１９】
また、大きな負荷がかかりにくい細目スクリーンを構成する板部材の幅を、大きな負荷がかかりやすい粗目スクリーンを構成する板部材の幅より小さく形成することができる。
【図面の簡単な説明】
【００２０】
【図１】本発明のバースクリーン式除塵機の一実施例を示し、（ａ）はスクリーンの横断面図、（ｂ）は（ａ）のＢ−Ｂ断面図、（ｃ）は（ａ）のＣ−Ｃ断面図である。
【図２】図１（ａ）の拡大図である。
【図３】本発明のバースクリーン式除塵機の変形実施例を示す図２に対応する拡大図である。
【図４】バースクリーン式除塵機の一例を示す説明図である。
【図５】従来のバースクリーン式除塵機のスクリーンを示す斜視図である。
【発明を実施するための形態】
【００２１】
以下、本発明のバースクリーン式除塵機の実施の形態を、図面に基づいて説明する。
【００２２】
図１〜図２及び図４に、本発明のバースクリーン式除塵機の一実施例を示す。
このバースクリーン式除塵機は、粗目スクリーン１の広い目幅Ｍ１の板部材（バー部材）の間に、細目スクリーン２の複数枚（本実施例においては、３枚ずつ）の板部材（バー部材）を狭い目幅Ｍ２で配設するようにしたスクリーンと、スクリーンのごみを掻き揚げて排出するレーキ３とを備えている。
【００２３】
そして、このバースクリーン式除塵機は、地上部で粗目スクリーン１を細目スクリーン２より所要長く延設し、細目スクリーン２の終端部から、延設した粗目スクリーン１の途中までエプロン４を設けるとともに、このエプロン４の終端部の下に細塵Ｓ２を回収する細塵回収部５を設け、粗目スクリーン１の終端部の下に粗ごみＳ１を回収する粗ごみ回収部６を設けている。
【００２４】
レーキ３は、上下の本体スプロケット７１に架設されたチェーン７２からなるレーキ駆動機構７により駆動するようにし、スクリーンの周囲を周回するとともに、スクリーンの前側でごみを掻き揚げるようにする。
レーキ３は、の粗目スクリーン１及び細目スクリーン２のそれぞれの対向する面間に挿入される粗目レーキ３１及び細目レーキ３２を有し、また、その背部には、水路の底部に立設された前スクリーン８の目幅に噛合する前スクリーン用レーキ３３が設けられている。
【００２５】
この場合において、粗目スクリーン１は、帯状平鋼製の板部材からなり、特に限定されるものではないが、例えば、１０ｃｍ程度の間隔（この間隔と粗目スクリーン１を構成する板部材の厚みＴ１とにより粗目スクリーン１の目幅Ｍ１が規定される。）で配設するようにする。
粗目スクリーン１の間に複数枚（本実施例においては、３枚ずつ）配設される細目スクリーン２は、粗目スクリーン１と同様の帯状平鋼製の板部材からなり、特に限定されるものではないが、例えば、２．５ｃｍ程度の間隔（この間隔と細目スクリーン２を構成する板部材の厚みＴ２とにより細目スクリーン２の目幅Ｍ２が規定される。）で配設するようにする。
ここで、粗目スクリーン１及び細目スクリーン２のそれぞれの目幅Ｍ１、Ｍ２は、バースクリーン式除塵機の使用目的等に応じて適宜設定することができるが、通常、粗目スクリーン１の目幅Ｍ１は、５０〜１００ｍｍ程度に、また、細目スクリーン２の目幅Ｍ２は、１０〜２５ｍｍ程度に、それぞれ設定するようにする。
【００２６】
この場合、大きな負荷がかかりにくい細目スクリーン２を構成する板部材の厚みＴ２を、大きな負荷がかかりやすい粗目スクリーン１を構成する板部材の厚みＴ１より薄く形成することができ、これにより、資材コストを抑えて製造コストを低廉にすることができる。
【００２７】
また、大きな負荷がかかりにくい細目スクリーン２を構成する板部材の幅Ｗ２を、大きな負荷がかかりやすい粗目スクリーン１を構成する板部材の幅Ｗ１より小さく形成することができ、これにより、資材コストを抑えて製造コストを低廉にすることができる。
【００２８】
また、本実施例において、細目スクリーン２を構成する板部材の厚みＴ２は、細目スクリーン２の厚さ方向（奥行き方向）（すなわち、細目スクリーン２を構成する板部材の幅方向）で一定に形成するようにしているが、図４に示す変形実施例のように、前端面側の厚みＴ２ａが厚く、後端面側の厚みＴ２ｂが薄くなるように形成することができる。
なお、細目スクリーン２を構成する板部材の厚みの変化のさせ方は、変形実施例のように、傾斜面とするほか、段差を付けることにより厚みを変化させるようにしてもよい。
これにより、細目スクリーン２の対向する面間に細塵（前端面側の目幅Ｍ２ａを通過した細塵）がそれより広い目幅Ｍ２ｂの箇所で挟まることがなく、細目スクリーン２が目詰まりを起こすことを未然に防止できる。
【００２９】
そして、粗目スクリーン１の前端面を細目スクリーン２の前端面より前方位置（水流の上流側）に突出するとともに、粗目スクリーン１の後端面と細目スクリーン２の前端面とが、略同一面内に位置するようにしている。
ここで、「略同一面内」とは、粗目スクリーン１の後端面と細目スクリーン２の前端面とが、同一面内に位置する場合に加え、側面視して両者が数ｍｍ程度（より具体的には、５ｍｍ程度）以内で重なり合う（オーバーラップする）場合や、側面視して両者の間隔（重なり合わない距離）が数ｍｍ程度（より具体的には、５ｍｍ程度）以内の場合を含むものとする。
なお、側面視して両者が上記寸法より大きい寸法で重なり合う場合には、粗目スクリーン１の厚さ（奥行き寸法）（すなわち、粗目スクリーン１を構成する板部材の幅）を実質的に小さくすることにより資材コストを抑えるという発明の目的が達成できなくなり、一方、側面視して両者の間隔（重なり合わない距離）が上記寸法より大きい場合には、粗目スクリーン１の後端面と細目スクリーン２の前端面との間隙によって規定される目幅（通常、細目スクリーン２の目幅Ｍ２と同じ寸法に設定する。）が実質的に広がってしまい、いずれも好ましくない。
【００３０】
また、本実施例においては、粗目スクリーン１の後端面から取付座１ａを突出して設け、この取付座１ａに形成した透孔に、細目スクリーン２に形成した透孔に挿通した通しボルト１０を挿通するとともに、その際、隣接する粗目スクリーン１と細目スクリーン２の間隔及び細目スクリーン２同士の間隔を通しボルト１０に挿通した短管状のディスタンスピース１１によって規定することによって、粗目スクリーン１及び細目スクリーン２を一体的に固定し、スクリーンを構成するようにしている。
これにより、粗目スクリーン１の厚さ（奥行き寸法）（すなわち、粗目スクリーン１を構成する板部材の幅）を実質的に小さくするようにしながら、スクリーンの組立構造を簡易にすることができるものとなる。
【００３１】
次に、このバースクリーン式除塵機の動作について説明する。
粗目スクリーン１と細目スクリーン２から構成されたスクリーンは、水路の底部に立設された前スクリーン８とともに水路内に設置されている。
【００３２】
そして、粗目スクリーン１の前端面が細目スクリーン２の前端面より前方位置（水流の上流側）に突出するようにされていることにより、まず、粗目スクリーン１で粗ごみＳ１が捕捉され、その後、細目スクリーン２で細塵Ｓ２が捕捉される。
【００３３】
一方、水路から上の地上部では、粗目スクリーン１だけを所要長く延設し、細目スクリーン２の終端部からは、延設した粗目スクリーン１の中間付近までエプロン４を敷設し、細塵Ｓ２の落下を防止するようにしているので、細目スクリーン２の目幅Ｍ２で捕捉された細塵Ｓ２は、レーキ３によりエプロン４に沿って掻き揚げられる。
【００３４】
エプロン４の終端部の下には、細塵Ｓ２を回収する細塵回収部５が設けられるとともに、粗目スクリーン１の終端部の下には、粗ごみＳ１を回収する粗ごみ回収部６が設けられている。
【００３５】
細塵回収部５には、粗目スクリーン１の上から散水する脱荷用散水ノズル９が付設されており、レーキ３からの細塵Ｓ２の落下を促すようにしている。
そして、細塵回収部５において、レーキ３により掻き揚げられ、途中でエプロン４がなくなってレーキ３から落下した細塵Ｓ２は、本実施例では、流水トラフにより回収され搬送される。
【００３６】
また、粗目スクリーン１の終端部の粗ごみ回収部６において、落下した粗ごみＳ１は、その下に設けたベルトコンベアにより回収され搬送される。
【００３７】
このように、本実施例のバースクリーン式除塵機は、粗目スクリーン１及び細目スクリーン２のそれぞれの目幅Ｍ１、Ｍ２で捕捉したごみを分けて、排出することができる。
【００３８】
以上、本発明のバースクリーン式除塵機について、背面降下連続式のバースクリーン式除塵機の実施例に基づいて説明したが、本発明は上記実施例に記載した構成に限定されるものではなく、例えば、前面降下連続式のバースクリーン式除塵機や間欠式のバースクリーン式除塵機等の各種のバースクリーン式除塵機にも適用できるものであり、また、その趣旨を逸脱しない範囲において適宜その構成を変更することができるものである。
【産業上の利用可能性】
【００３９】
本発明のバースクリーン式除塵機は、必要とされる強度等の性能を維持しながら、資材コストを抑えて製造コストを低廉にできるという特性を有していることから、各種のバースクリーン式除塵機の用途に広く用いることができる。
【符号の説明】
【００４０】
１    粗目スクリーン
１ａ  取付座
２    細目スクリーン
３    レーキ
３１  粗目レーキ
３２  細目レーキ
３３  前スクリーン用レーキ
４    エプロン
５    細塵回収部
６    粗ごみ回収部
７    レーキ駆動機構
７１  本体スプロケット
７２  チェーン
８    前スクリーン
９    脱荷用散水ノズル
１０  通しボルト
１１  ディスタンスピース
Ｓ１  粗ごみ
Ｓ２  細塵
【図１】
2010203093.tif 000003
【図２】
2010203093.tif 000004
【図３】
2010203093.tif 000005
【図４】
2010203093.tif 000006
【図５】
2010203093.tif 000007